(57)【要約】【課題】濡れた傘をまとめる時に手が濡れる不快さを取り除き、目の不自由な方や指先がうまく使えない方でも、張り布を左右いずれの方向でも畳める上、手間取らずに畳む事ができるようにし、傘がしっかり畳まれる事が増えるので周囲の迷惑を減らす事。【解決手段】本発明では、傘の骨組みに鉄製等の磁性体に付着する素材を用いた傘についてである。それらの傘の張り布に帯状の紐等の一端を設け、他端の部分に磁性体をもつ物を設けた締付具を有する傘である。また、傘張り布の山折り部分に磁性体を取り付ける事で、骨組みの鉄部に付着させ畳んでもよい。本発明の使用方法は、張り布を磁石で骨組等に付着させて畳むので、傘の張り布を左右いずれの方向でも巻きつけて畳むことができ、握柄を軽く回したり、締付部材の端を回すだけで磁性体部分が遠心力で回転し骨組みの鉄部に付着し、容易に雨傘や日傘を畳む事ができる。【選択図】図１
2011229884.tif 000002
【特許請求の範囲】
【請求項１】
傘の締付部材に磁性体を設けた締付具を有する傘。
【請求項２】
傘張り布面の一端に帯状の紐や細長い布等を設け、他端に磁性体をもつ物を取り付けた傘の締付具を有する傘。
【請求項３】
傘張り布の山折り部分に磁性体を取り付ける事で、骨組みの鉄部に密着させる締付具を有する傘。
【請求項４】
骨組等が鉄等の磁性体に付着する素材で作られている傘を回転させると、締付具の磁性体部分が骨組の鉄部に近接し、磁石により付着、傘の張り布を畳む事ができる締付具を有する傘。
【発明の詳細な説明】
【技術分野】
【０００１】  本発明は雨傘・日傘全般（長傘と携帯傘の手動・自動含む）の張り布を畳む事を容易に、かつ、左右いずれの方向で畳んでも閉じる事ができる傘の締付部材に関するものである。
【背景技術】
【０００２】  従来、雨傘や日傘を閉じる場合は、両手を使って張り布を折りたたみ、さらに、束ねた張り布を締付部材で締め付けていた。【０００３】  例えば、締付部材本体の先端部と基端部分に面ファスナーを設けたものが提案されている。この場合は傘の張る布を左右どちらの方向にも折りたたみ、締付部材で締め付ける事ができるが、両方の手を使用する不便さがあった（例えば、特許文献１参照）。【０００４】  また、傘の締付部材がゴムテープであるものが提案されているが、使用に際しては、両方の手を使用しなければ、締め付けられない欠点があった（例えば、特許文献２参照）。
【先行技術文献】
【特許文献】
【０００５】
【特許文献１】実開平５−８６２２０号公報
【特許文献２】登録実用新案第３０３２６４３号公報
【発明の概要】
【発明が解決しようとする課題】
【０００６】雨で濡れた傘をまとめる時に片手で濡れた傘の布本体をおさえながら、片手でボタンやマジックテープ等を用いて留めていたが、手が濡れるので不快であった。【０００７】荷物をたくさん持っている時や、重い荷物を持っている時に両手を使わないと留められない事は非常に不便であった。【０００８】お年寄りや目が不自由な方だとボタンやマジックテープやリングを確認する必要があるため困難であり、手間取っていた。【０００９】リウマチ等で指先がうまく使えない方だと、ボタンを留める事は非常に困難であり、手間取っていた。【００１０】傘の張り布を左右どちらの方向にも折りたたみ、締付部材で締め付ける事ができるが両方の手を使用する不便さがあった。（例えば、特許文献１参照）。【００１１】従来の方法では上記の例の事などから、傘をきちんと留めることができない場合や人が多く、傘の張り布が開いたままであるために、周囲に水滴で濡らすなど不快な思いや迷惑をかける事が多くあった。従って、本発明は上記の様な欠点を取り除き、容易に素早く雨傘・日傘を畳む事ができるために発明されたものである。
【課題を解決するための手段】
【００１２】本発明では、傘の骨組みに鉄製などの磁性体に付着する素材を用いた傘についてである。それらの傘の張り布面に、締付具として帯状の紐や細長い布等の一端を設け、他端に磁性体をもつ物を取り付けた締付具を有する傘である。
他の実施例として、締付具全体を磁性体にしてもよい。さらに、張り布の山折り部分に磁性体を取り付ける事で、骨組の鉄部に付着させ畳んでもよい。
【発明の効果】
【００１３】雨で濡れた傘をまとめる時に片手で傘を回すだけで留める事ができるので、手がほとんど濡れず不快感を解消できる。【００１４】荷物をたくさん持っている時や、重い荷物を持っている時に両手を使わなくても畳むことができ、便利である。【００１５】お年寄りや目が不自由な方でもボタンやマジックテープやリングを確認する必要がなく、傘を回転させたり、締付具の帯状の端を回すだけで素早く簡単に留める事ができる。【００１６】リウマチ等で指先がうまく使えない方でもボタンやマジックテープを留める必要がなく、片手で握柄を握り、傘を回転させたり、帯状等の締付具の端を回すだけで素早く簡単に留める事ができる。【００１７】傘の張り布を左右いずれの方向で畳んでも閉じる事ができ、布を巻きつける方向を気にせずに畳むことができる上、片手で握柄を持ち回転させるだけでも張り布をたたむ事ができる為、手間取る事が少なくなる。【００１８】片手で握柄を握り、傘を回したり、帯状等の締付具の端を回すだけで素早く簡単に畳む事ができるため、傘を開いたままにする事が減り、周囲に水滴で濡らすなど不快な思いをさせる事や他人に迷惑をかける事が少なくなる。
【図面の簡単な説明】
【００１９】
【図１】本発明の「他端の先端に磁石を設けた使用状態」における斜視図
【図２】本発明の「他端の先端に磁石を設けた収納後」の斜視図
【図３】本発明の「実施例で締付具全体に磁性体を設けた使用状態」の斜視図
【図４】本発明の「実施例で傘張り布の山折り部分に磁性体を取り付けた使用状態」の斜視図
【符号の説明】
【００２０】１握柄
２骨組
３張り布
４締付具
５磁性体
【本発明を実施するための形態】
【００２１】本発明では、雨傘や日傘の骨組みに鉄製等の磁性体に付着する素材を用いた傘についてである。一般的に長傘の手動や自動、携帯傘の手動や自動、ビニール傘でも骨組みは鉄で作られているものがほとんどである。
それらの傘の張り布面に、締付具として帯状の紐等の一端を設け、他端に磁性体をもつ物を設けた締付具を有する傘である。磁性体とは、例えば磁石やマグネットやマグネットシート等である。（例えば、［図１］［図２］参照）。
実施例１として、締付具である帯状の紐や細長い布等の中に磁性体をもつ磁石・マグネット等を包み込むように逢着してもよい。また、実施例２として、締付具である帯状の紐や細長い布等に磁性体をもつ磁石等を接着剤で接合してもよい。ほか、実施例３として、ボタンの様に穴の開いた磁性体を締付具に逢着してもよい。
他の実施例として、締付具全体をマグネットシート等の磁性体にしてもよい。また、締付具全体を磁性体を帯びた布等にしてもよい。（［図３］参照）。
さらなる実施例として、傘の張り布の山折り部分に磁性体を取り付ける事で、骨組の鉄部に付着させ畳んでもよい。（［図４］参照）。
本発明は以上のような構造である。
本発明の使用方法は、傘の張り布を磁性体により骨組等に付着させて畳むので、傘の張り布を左右いずれの方向で畳んでも閉じる事ができるため、布を巻きつける方向を気にせずに畳むことができる。
傘を持っている握柄を片手で軽く回したり、片手で握柄を掴みながらもう片方の手で締付部材の端を回し、その手を離すだけで磁性体部分が遠心力で回転しながら骨組みの鉄部に近接し、磁石により付着し、雨傘や日傘の張り布を素早く・容易に畳む事ができる。
【図１】
2011229884.tif 000003
【図２】
2011229884.tif 000004
【図３】
2011229884.tif 000005
【図４】
2011229884.tif 000006